(57)【要約】【課題】使用状態に関わらす発光部の発光を確認できる発光装置を提供する。【解決手段】発光装置は、側面に光透過性部材が配される筐体と、筐体の内部に収納される発光部とを備える。【選択図】図４
2016072550.tif 000002
【特許請求の範囲】
【請求項１】
側面に光透過性部材が配される筐体と、
前記筐体の内部に収納される発光部と
を備える発光装置。
【請求項２】
前記筐体の側面は、少なくとも、第１の側面と、前記第１の側面に対して前記筐体の外側に位置する第２の側面とを含み、
前記光透過性部材の側面により前記第２の側面が構成される
請求項１に記載の発光装置。
【請求項３】
前記光透過性部材の内周面に突起が形成され、
前記突起と前記発光部とが、間隙をもって対向または接触する
請求項１または２に記載の発光装置。
【請求項４】
前記突起は、前記筐体の内側から外側に向かって幅広となる形状を成す
請求項３に記載の発光装置。
【請求項５】
前記光透過性部材は、略リング状の形状を成す
請求項１乃至４のいずれか１項に記載の発光装置。
【請求項６】
前記発光部は、ＬＥＤ(Light Emitting Diode)により構成され、
複数の前記ＬＥＤが、前記筐体の内部において円周上に離隔して配置される
請求項１乃至５のいずれか１項に記載の発光装置。
【請求項７】
前記光透過性部材は、防水部材により構成される
請求項１乃至６のいずれか１項に記載の発光装置。
【発明の詳細な説明】
【技術分野】
【０００１】
本発明は、例えばＬＥＤ(Light Emitting Diode)を使用した発光装置に関する。
【背景技術】
【０００２】
近年の健康志向の高まりをうけ、ユーザ自らが活動量（運動量）を測定できるようにした活動量計が提案されている。例えば、下記特許文献１には表示部を備えた携帯型の活動量計が記載されている。
【先行技術文献】
【特許文献】
【０００３】
【特許文献１】特開２０１３−２１５３４６号公報
【発明の概要】
【発明が解決しようとする課題】
【０００４】
しかしながら、特許文献１に記載の活動量計は、表示部に種々の情報を表示できる反面、装置全体が大型化してしまうという問題があった。また、活動量計の一面のみに表示部等を設けているため、例えば上下を反対にして活動量計を載置すると表示内容をユーザが確認することができない、という問題があった。
【０００５】
本発明は上述した点に鑑みてなされたものであり、小型化を可能とし、装置の視認性を向上させた発光装置を提供することを目的の一つとする。
【課題を解決するための手段】
【０００６】
上記課題を解決するために、本発明は、例えば、側面に光透過性部材が配される筐体と、筐体の内部に収納される発光部とを備える発光装置である。
【発明の効果】
【０００７】
本発明の少なくとも一の実施形態によれば、発光装置の小型化を可能とし、発光装置の視認性を向上させることができる。なお、本明細書において例示された効果により本発明の内容が限定して解釈されるものではない。
【図面の簡単な説明】
【０００８】
【図１】図１は、本発明の一実施形態における発光装置の構成例を説明するための分解図である。
【図２】図２は、本発明の一実施形態における光透過性部材の構成例を説明するための図である。
【図３】図３は、本発明の一実施形態における発光装置の外観の一例を示す斜視図である。
【図４】図４は、本発明の一実施形態における発光装置の内部構成例を説明するための図である。
【図５】図５は、本発明の一実施形態における発光装置の内部構成例を説明するための断面図である。
【図６】図６は、本発明の一実施形態における発光装置の電気的な構成例を説明するためのブロック図である。
【発明を実施するための形態】
【０００９】
以下、本発明の一実施形態について図面を参照しながら説明する。なお、説明は以下の順序で行う。
＜１．一実施形態＞
＜２．変形例＞
但し、以下に示す実施形態等は、本発明の技術思想を具体化するための構成を例示するものであって、本発明は例示された構成に限定されるものではない。なお、特許請求の範囲に示される部材を、実施形態の部材に特定するものではない。特に、実施形態に記載されている構成部材の寸法、材質、形状、その相対的配置、上下左右等の方向の記載等は特に限定する旨の記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、重複する説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、適宜、他の実施例、実施形態等に適用可能である。
【００１０】
＜１．一実施形態＞
始めに、本発明の一実施形態に係る発光装置について概説する。本発明の一実施形態に係る発光装置は、例えば携帯可能であり、鞄や衣類のポケットに収納することが可能な程度の大きさである。発光装置は、例えば表示部を有していないため小型とすることができ、身体等に手軽に装着して使用することができる。例えば、リストバンドや紐等を使用して時計やネックレス、指輪のようにして発光装置を身体に装着することができる。発光装置は、例えば、センサを備え、センサにより得られるセンシングデータに基づいてユーザの日々の活動量（消費カロリー、歩数等）を求める活動量計として使用することができる。なお、センシングデータに基づいて活動量を求める処理は発光装置が実行してもよく、発光装置と通信可能なホスト機器（例えば、パーソナルコンピュータやスマートフォン）が実行してもよい。
【００１１】
発光装置は、発光部を備え、種々のアクションをトリガーとして発光部を発光（点灯）させる。発光部の発光態様は適宜、設定することができる。例えば、発光部を１回のみ発光させてもよく、点滅させるようにしてもよい。発光部が複数、存在する場合には、複数の発光部の全てを発光させてもよく、順次、発光するようにしてもよい。発光部を発光させるトリガーは適宜、設定することができる。例えば、発光装置に対して何らかの操作がなされたときにその操作に応答するようにして発光部を発光させてもよい。歩数等の活動量が一定以上になった場合に、その活動量に応じた数の発光部を発光させるようにしてもよい。以上、概説した本発明の一実施形態に係る発光装置について、具体的に説明する。
【００１２】
「発光装置の構成例」
始めに、図１および図２を参照して、本発明の一実施形態に係る発光装置の構成例について説明する。図１は、発光装置の構成例を説明するための分解図であり、図２は、発光装置における光透過性部材の構成例を説明するための図である。
【００１３】
発光装置１は、例えば略円盤状の筐体を有している。発光装置１の筐体は、例えばトップカバー２と、光透過性部材３と、ボトムカバー４とが結合されて成る。以下の説明では、筐体の中央に向かう方向を内側と規定し、反対方向を外側と規定する。トップカバー２は、略円形の上面２１と、側面２２とを有しており、内部に空間が形成されている。トップカバー２の材質としては、ＡＢＳ（アクリロニトリル／ブタジエン／スチレン共重合体）樹脂やエラストマー等を用いることができる。
【００１４】
光透過性部材３は、後述するＬＥＤからの光が透過する部材であり、材質としてはシリコンゴムやアクリル樹脂等を用いることができる。シリコンゴムを用いた場合には、光透過性部材３を、光を透過させる部材として機能させることができるとともに防水部材として機能させることもできる。これにより、防水パッキン等の構成を省略することができ、部品点数の減少、製造コストの低下を実現できる。なお、光透過性部材３は透明、半透明等に限定されるものではなく、また、光透過性部材３は着色されたものでもよい。
【００１５】
図１および図２に示すように、光透過性部材３は、略リング形状を成しており、上面３０と、底面３１と、外周面（側面）３２と、内周面３３とを有している。上面３０は、外側に位置する上面３０ａと内側に位置する上面３０ｂとからなり、上面３０ｂは上面３０ａに対してやや凹む二段の構成とされている。上面３０ａおよび上面３０ｂの間には勾配部３７が設けられている。なお、図示が煩雑となることを防止するために図１では勾配部３７に関する図示を省略している。光透過性部材３の径方向の長さ（中心から側面３２までの長さ）は、トップカバー２の上面２１の径方向の長さよりやや大となるように設定されている。
【００１６】
光透過性部材３の内周面３３には複数の突起が設けられている。光透過性部材３の内周面３３には、後述するＬＥＤの数に対応した数の突起が設けられており、本実施形態では一例として６個の突起（突起３５ａ、突起３５ｂ、突起３５ｃ、突起３５ｄ、突起３５ｅおよび突起３５ｆ）が互いに離隔して設けられている。個々の突起を区別する必要がない場合には突起３５と総称する。突起３５は、例えば、光透過性部材３の内側から外側に向かう方向に幅広となる形状を成している。
【００１７】
各突起３５の間には間隔が形成されている。突起３５ａおよび突起３５ｂの間には間隔３６ａが形成されている。突起３５ｂおよび突起３５ｃの間には間隔３６ｂが形成されている。突起３５ｃおよび突起３５ｄの間には間隔３６ｃが形成されている。突起３５ｄおよび突起３５ｅの間には間隔３６ｄが形成されている。突起３５ｅおよび突起３５ｆの間には間隔３６ｅが形成されている。突起３５ｆおよび突起３５ａの間には間隔３６ｆが形成されている。個々の間隔を区別する必要がない場合は、間隔３６と総称する。間隔３６には後述するボトムカバー４の壁部が配される。
【００１８】
光透過性部材３は、外側に向けてやや延在する構成を備えており、この箇所に上下方向に貫通する孔部３８が形成されている。孔部３８に紐、ストラップ等を挿通することにより、発光装置１をネックレス、腕輪等のようにして身体に装着することができる。
【００１９】
ボトムカバー４は、略円形のベース４１を備えている。ベース４１の径方向の長さは、光透過性部材３の径方向の長さよりやや小となるように設定されている。ベース４１は上面４２および底面４３を有している。
【００２０】
ベース４１の上面４２には複数の壁部が立設されている。複数の壁部は、例えば光透過性部材３の間隔３６の数に対応して設けられており、本実施形態では一例として６個の壁部（壁部４５ａ、壁部４５ｂ、壁部４５ｃ、壁部４５ｄ、壁部４５ｅおよび壁部４５ｆ）が設けられている。個々の壁部を区別する必要がない場合には、壁部４５と総称する。壁部４５は、上面４２の周縁よりやや内側であり、且つ、上面４２における仮想の円周上の位置に互いに離隔して設けられている。壁部４５は、例えば全体としてやや湾曲した形状を成しており、その高さは光透過性部材３の厚みよりやや大となるように設定されている。壁部４５同士の間隔は、光透過性部材３の突起３５を挿通できる程度の大きさに設定されている。
【００２１】
発光装置１の内部には、基板５や電池（図１、２では図示を省略している）が収納される。基板５は、例えば略円形の形状を成しており、光透過性部材３の内側に収納できる程度の大きさとされている。基板５の底面の周縁付近に、１または複数の発光部が接続されている。発光部としては例えばＬＥＤが使用される。本実施形態では、基板５の底面の周縁付近に、６個のＬＥＤ（ＬＥＤ５１ａ、ＬＥＤ５１ｂ、ＬＥＤ５１ｃ、ＬＥＤ５１ｄ、ＬＥＤ５１ｅおよびＬＥＤ５１ｆ）が所定の間隔をもって接続されている。個々のＬＥＤを区別する必要がない場合は、ＬＥＤ５１と総称する。基板５には、さらに、ＬＥＤ５１の発光制御を行う制御回路や発光装置１が他の電子機器と通信を行うための通信モジュールなどが実装されている。これらの制御回路や通信モジュール等の図示は省略している。なお、上述した基板５の形状やＬＥＤ５１が接続される位置は一例でありこれに限定されるものではない。
【００２２】
ＬＥＤ５１は、例えば、赤色ＬＥＤおよび緑色ＬＥＤからなる２色ＬＥＤ（２チップ）として構成されている。ＬＥＤ５１は、さらに青色ＬＥＤを備えた３色ＬＥＤ等でもよい。また、ＬＥＤ５１の色を全て同一にする必要はなく、例えば、ＬＥＤ５１ａとＬＥＤ５１ｂとが異なる色でもって発光する構成でもよい。ＬＥＤ５１の形状は、砲弾型、円筒型、角型等、適宜な形状を適用することができる。ＬＥＤ５１からの光が光透過性部材３を介して拡散する。
【００２３】
発光装置１は例えば以下のようにして組み立てられ、一体的に形成される。光透過性部材３の間隔３６に壁部４５を挿通するようにして、光透過性部材３がボトムカバー４に対して取り付けられる。例えば、壁部４５ａを間隔３６ａに、壁部４５ｂを間隔３６ｂに、壁部４５ｃを間隔３６ｃに、壁部４５ｄを間隔３６ｄに、壁部４５ｅを間隔３６ｅに、壁部４５ｆを間隔３６ｆにそれぞれ挿通するようにして光透過性部材３がボトムカバー４に対して取り付けられる。このとき、光透過性部材３の突起３５は壁部４５間の間隔に位置する。光透過性部材３の底面が、ボトムカバー４の上面４２に当接する。そして、基板５等を光透過性部材３の内側に収納した後にトップカバー２を取り付ける。トップカバー２の底面は、光透過性部材３の上面３０ｂ上に支持される。なお、電池の交換を可能とするため、発光装置１はトップカバー２を取り外すことができるように構成されている。トップカバー２を脱着するための構成については図示を省略している。
【００２４】
図３は、発光装置１の外観の一例を示す斜視図である。発光装置１は、全体として略円盤上の外観を呈している。上述したように、発光装置１は、上面、底面および側面からなる筐体を備えている。筐体の上面として、例えばトップカバー２の上面２１が対応しており、筐体の底面として、例えばボトムカバー４の底面４３が対応している。なお、必ずしもボトムカバー４の底面４３を下側にして発光装置１を使用する必要はない。発光装置１の使用方法（例えば、発光装置１をネックレスの様にして吊り下げて使用する方法）によっては、トップカバー２の上面２１が上方に位置しない場合もあり得る。上面、底面等の用語は説明の便宜上であり、これにより発光装置１の構成、使用方法等が限定的に解釈されるものではない。
【００２５】
発光装置１の筐体は側面として、第１の側面と、第１の側面に対して筐体の外側方向に位置する第２の側面とを有している。第１の側面として、例えばトップカバー２の側面２２が対応している。第２の側面として、例えば光透過性部材３の側面３２が対応している。すなわち、発光装置１は、側面の少なくとも一部に光透過性部材３が配されており、より具体的には、発光装置１は、光透過性部材３の周縁付近が外側に突出した形状を成している。なお、本発明の一実施形態では好ましい態様として光透過性部材３の周縁付近を外側に突出させているが、突出しない形状、すなわち、第１の側面と第２の側面とが同一の面である形状を排除するものではない。
【００２６】
発光装置１を真上から見た場合には、光透過性部材３の上面３０ａを視認することができる。発光装置１を真横から見た場合には、光透過性部材３の側面３２を視認することができる。発光装置１を真下から見た場合には、光透過性部材３の上面３０ａの反対面を視認することができる。発光装置１を斜めから見た場合には、上面３０ａ（またはその反対面）および側面３２を視認することができる。このように、見る方向に関係なく光透過性部材３の少なくとも一部を確認することができる。したがって、ＬＥＤ５１が発光した際に光透過性部材３を透過したＬＥＤ５１の光をユーザは確認することができ、ＬＥＤ５１に対する視認性を向上させることができる。ＬＥＤ５１からの光を水平方向および上下方向に透過させているため、発光装置１を上下反対に置いたり吊り下げて使用する場合でも、ユーザはＬＥＤ５１からの光を確認することができる。
【００２７】
図４および図５を参照して、発光装置１の内部の構成例について説明する。図４は、発光装置１の上方から見たときの発光装置１の内部の構成例を示した図である。なお、図４では内部の構成例を説明するためトップカバー２の図示を省略している。図５は、発光装置１を図４におけるＡ−Ａ線で切断したときの断面図である。なお、図５では、断面を示すハッチングを省略しており、図示の一部を適宜、簡略化している。
【００２８】
光透過性部材３の間隔３６にはボトムカバー４の壁部４５が挿入され取り付けられている。光透過性部材３の内側には基板５が収納されている。図４では基板５に接続されたＬＥＤ５１が点線により示されている。ＬＥＤ５１と突起３５とが間隙をもって対向している。例えば、ＬＥＤ５１ｂと突起３５ｂとが間隙をもって対向している。ＬＥＤ５１ｂから発せられた光は、突起３５ｂを介して光透過性部材３の内部を透過、拡散する。ここで一実施形態における突起３５ｂは、光源（ＬＥＤ５１ｂ）から離れるにしたがって幅広となる形状により構成されている。このため、ＬＥＤ５１ｂからの光を拡散させることができる。ＬＥＤ５１ｂを含むＬＥＤ５１の光により光透過性部材３全体が光るような態様となる。
【００２９】
さらに、本発明の一実施形態では、上面３０ｂから上面３０ａに向かって傾斜する勾配部３７が設けられている。勾配部３７によりＬＥＤ５１ｂからの光を上面３０ａ側に導くことができ、ＬＥＤ５１ｂからの光をより拡散させることができる。なお、光透過性部材３に公知の光拡散剤を添加することにより、ＬＥＤ５１からの光をより拡散させるようにしてもよい。
【００３０】
なお、ＬＥＤ５１ｂおよび突起３５ｂ間の間隙（空気層）によりＬＥＤ５１ｂからの光が減衰するおそれがある。このため、間隙をできるだけ小さくすることが好ましい。間隙が０、すなわち、ＬＥＤ５１ｂと突起３５ｂとが接触するようにしてもよい。ＬＥＤ５１ｂおよび突起３５ｂを例にして説明したが、他のＬＥＤおよび突起についても同様である。
【００３１】
なお、図５では例えばＬＥＤ５１ｂが、光透過性部材３の内周面３３の下側と対向するように図示されているが、これに限定されるものではない。ＬＥＤ５１ｂからの光が光透過性部材３をより透過するために、ＬＥＤ５１ｂが内周面３３の中央と対向または接触することが好ましい。他のＬＥＤについても同様である。
【００３２】
ここでＬＥＤを一面（例えば上面）側のみに向かって透過させる場合には、点灯面積を広げるため発光装置の高さ方向に突起等を含む光透過性部材を設ける必要があり、発光装置全体の厚みが増加する問題があった。本発明の一実施形態では、ＬＥＤ５１に対して水平方向に突起３５を含む光透過性部材３を配置している。このため発光装置１の厚みが増加することを防止することができ、発光装置１を身体に装着したり収納した際に発光装置１がかさばることを防止できる。
【００３３】
図５に示すように、発光装置１の筐体内に基板５および電池６が収納されている。基板５および電池６は図示しない保持部により、筐体内の所定箇所に保持されている。基板５と電池６とが電気的に接続されており、基板５の制御回路等に対して電池６の電力が供給される。電池６は、例えばコイン型の一次電池である。もちろん、電池６の形状はコイン型に限定されるものではない。また、電池６は、充電可能な二次電池やキャパシタなどでもよい。なお、発光装置１の内部には基板５および電池６のみならず、他の構成（例えば、後述するセンサ）が収納されるがこれらの図示は適宜、省略している。
【００３４】
「発光装置の電気的な構成」
図６は、発光装置１の電気的な構成を説明するための図である。発光装置１は、例えば、制御部１０１と、記憶部１０２と、センサ１０３と、通信部１０４と、電源供給部１０５と、ＬＥＤ５１とを有している。電源供給部１０５は、例えば上述した電池６である。ＬＥＤ５１については既に説明しているため、重複した説明を省略する。
【００３５】
制御部１０１は、例えばＣＰＵ(Central Processing Unit)により構成され、発光装置１の各部を制御する。具体的には、センサ１０３により得られたセンシングデータを通信部１０４に供給するとともに通信部１０４を制御し、センシングデータを外部の機器に送信する。また、記憶部１０２に対する書き込み／読み出し処理を実行する。さらに、ＬＥＤ５１を点灯／消灯させる発光制御を実行する。制御部１０１が例示した処理と異なる処理を実行するようにしてもよい。また、制御部１０１が計時機能やＡ／Ｄ(Analog to Digital)変換機能を有するようにしてもよい。
【００３６】
記憶部１０２は、例えばＲＯＭ(Read Only Memory)およびＲＡＭ(Random Access Memory)を含む。ＲＯＭには例えば制御部１０１が実行するプログラムが格納されている。ＲＡＭは制御部１０１が処理を実行する際のワークエリアとして使用される。なお、記憶部１０２は、発光装置１に対して着脱自在とされるものでもよい。
【００３７】
センサ１０３は、例えば３軸の加速度センサにより構成される。センサ１０３は、例えば発光装置１を装着したユーザの動きに応じてセンシングデータを出力する。センサ１０３から出力されたセンシングデータが制御部１０１に供給される。なお、センサ１０３は複数のセンサにより構成されてもよい。
【００３８】
通信部１０４は、発光装置１が他の電子機器と所定の通信規格に基づく無線通信を実行するための構成である。所定の通信規格としては、赤外線を用いた通信や、「Ｚｉｇｂｅｅ（登録商標）」規格による通信、「Ｂｌｕｅｔｏｏｔｈ（登録商標）」規格による通信、ネットワーク形成が容易な「Ｗｉ  Ｆｉ（登録商標）」による通信などを利用することができるが、これらに限定されるものではない。
【００３９】
なお、通信部１０４が、ＮＦＣ（Near Field Communication）規格に基づく近距離無線通信を行うようにしてもよい。ＮＦＣ規格による無線通信を行うことにより、発光装置１を他の電子機器（例えば、スマートフォン）にかざすだけで、発光装置１と他の電子機器との間の接続を確立することができる（ペアリング）。接続を確立した後に、例えば、Ｂｌｕｅｔｏｏｔｈによる高品位の通信が行われることで、発光装置１が他の電子機器とデータのやり取りを行うようにしてもよい。なお、発光装置１がリーダー（読み取り装置）を介して他の電子機器とデータのやりとりを行うようにしてもよい。
【００４０】
「発光装置の動作」
発光装置１の動作例について概略的に説明する。発光装置１を装着したユーザの動きに応じてセンサ１０３がセンシングデータを出力する。センシングデータが制御部１０１に供給される。制御部１０１は、センサ１０３から入力されるセンシングデータを記憶部１０２に記憶していく。
【００４１】
制御部１０１は、例えば発光装置１と他の電子機器との間の接続が確立した機会に、センシングデータを記憶部１０２から読み出すとともに通信部１０４を制御する。制御部１０１の制御に応じて通信部１０４が動作し、通信部１０４によって発光装置１から他の電子機器にセンシングデータが送信される。他の電子機器は、発光装置１から送信されたセンシングデータに基づいて所定の演算を行うことによりユーザの消費カロリー、歩数等の活動量を取得する。活動量は表示等によってユーザに提示される。なお、センシングデータに基づいて演算を実行し活動量を取得する処理が制御部１０１によって行われるようにしてもよい。
【００４２】
制御部１０１は、適宜なタイミングでもってＬＥＤ５１を発光させる制御を実行する。例えば、センサ１０３からセンシングデータが入力されたタイミングでＬＥＤ５１を発光させる。このとき、センシングデータの大きさ（電圧値）が大きいほど発光させるＬＥＤ５１の個数を多くするようにしてもよい。通信部１０４によりペアリング処理がなされている最中に所定の発光態様でＬＥＤ５１を発光させてもよい。電池６の残量が所定以下になった場合にＬＥＤ５１を発光させてもよい。
【００４３】
上述したように、発光装置１の置き方や取り付け方に関係なく、少なくとも発光装置１が発光していることをユーザは認識できる。発光装置１の発光を確認したユーザは、その発光態様をより詳細に確認することで如何なる情報が提供されているのかを理解することができる。
【００４４】
発光装置１に対する操作は、例えば、トップカバー２の上面２１を所定回数、叩くことによりなされる。センサ１０３により叩く回数に応じたセンシングデータが取得され、そのセンシングデータが制御部１０１に供給される。制御部１０１は、入力されるセンシングデータを解析して操作の回数を求め、操作の回数に対応する制御を実行する。叩く回数とそれにより実行される機能の対応付けは適宜、設定することができる。
【００４５】
＜２．変形例＞
以上、本発明の一実施形態について説明したが、本発明は上述した実施形態に限定されるものではなく、本発明の技術思想の範囲内において種々の変更が可能である。以下、変形例について説明する。
【００４６】
発光装置１の筐体の構成は、一実施形態で説明した構成に限定されるものではない。例えば、光透過性部材３とボトムカバー４とを２層成形等により一体的に構成してもよい。また、発光装置１にスピーカや振動モータを設け、発光装置１が音を再生したり振動する構成としてもよい。発光装置１と他の電子機器との間でなされる通信は無線に限らず、有線によるものであってもよい。
【符号の説明】
【００４７】
１：発光装置
２：トップカバー
３：光透過性部材
４：ボトムカバー
２２：トップカバーの側面
３２：光透過性部材の側面
３５：突起
５１：ＬＥＤ
【図１】
2016072550.tif 000003
【図２】
2016072550.tif 000004
【図３】
2016072550.tif 000005
【図４】
2016072550.tif 000006
【図５】
2016072550.tif 000007
【図６】
2016072550.tif 000008